(57)【要約】【課題】見栄えがよく、しかもフリルが消失し難いタオルを提供する。【解決手段】このタオル１は、一定の幅で、その幅方向と直交する方向に編まれるタオル本体２を有し、そのタオル本体２における上記幅方向と直交する方向の途中部分であって表裏両側に、タオル本体２から突出したフリル３、４が、編まれることで形成されている。【選択図】図２
2007097882.tif 000002
【特許請求の範囲】
【請求項１】
一定の幅方向の列をコースとし、その幅方向と直交する方向の列をウェールとして編まれるタオル本体を有し、そのタオル本体の表裏両側のうちの少なくとも片側に、タオル本体から突出したフリルが、編まれることで形成されていることを特徴とするタオル。
【請求項２】
請求項１に記載のタオルにおいて、
前記フリルが、前記幅方向と直交する方向におけるタオル本体の途中部分に形成されていることを特徴とするタオル。
【請求項３】
請求項１または２に記載のタオルにおいて、
タオル本体とフリルとで異なる糸が用いられ、フリル用の糸がタオル本体用の糸よりも太いことを特徴とするタオル。
【発明の詳細な説明】
【技術分野】
【０００１】
本発明は、身体洗浄用のタオルに関するものである。
【背景技術】
【０００２】
上述したタオルとして、背中の洗浄用に好適に用いられるように、タオルの長手方向の途中部分に別製のフリルを取付けたフリル付きタオルが知られている（例えば特許文献１参照）。
【特許文献１】登録実用新案公報第３０２０７５０号
【発明の開示】
【発明が解決しようとする課題】
【０００３】
しかしながら、上述したフリル付きタオルによる場合には、別製のフリルの基端側をタオルに取付ける際に、フリルの基端側よりも少し先端寄りの位置を縫い付けることになるため、フリルの基端が表面に表れて見栄えが悪化するとともに、フリル縫い付け用の糸の一箇所が解けると全体が解け易く、その結果としてフリルが消失し易くなるという難点があった。
【０００４】
本発明は、このような従来技術の課題を解決するためになされたものであり、見栄えがよく、しかもフリルが消失し難いタオルを提供することを目的とする。
【課題を解決するための手段】
【０００５】
本発明の請求項１のタオルは、一定の幅方向の列をコースとし、その幅方向と直交する方向の列をウェールとして編まれるタオル本体を有し、そのタオル本体の表裏両側のうちの少なくとも片側に、タオル本体から突出したフリルが、編まれることで形成されていることを特徴とする。
【０００６】
本発明の請求項２のタオルは、請求項１に記載のタオルにおいて、前記フリルが、前記幅方向と直交する方向におけるタオル本体の途中部分に形成されていることを特徴とする。
【０００７】
本発明の請求項３のタオルは、請求項１または２に記載のタオルにおいて、タオル本体とフリルとで異なる糸が用いられ、フリル用の糸がタオル本体用の糸よりも太いことを特徴とする。
【発明の効果】
【０００８】
本発明のタオルにあっては、フリルが、タオル本体を編んで形成するときに同時に編むことで形成され、フリルとタオル本体とが一体的に編まれているので、フリルの基端側がタオル本体に編み込まれて表面に表れずに見栄えがよく、しかも従来のようにフリルを縫い付ける必要がないので、糸解けによるフリルの消失が起こり難いものになる。
【０００９】
また、請求項２のタオルにあっては、タオル本体の幅方向と直交する方向、つまり長手方向の途中部分がフリルの形成により凸状部分になっているので、長手方向の両端部を把持して背中を洗浄するときに、背中の凹部に対してタオルの凸状部分が当たり、都合のよい洗浄が可能になる。
【００１０】
更に、請求項３のタオルにあっては、フリルの方がタオル本体よりも太い糸を用いているので、フリル部分の厚みを増大化させ易く、背中の凹部に対するタオルの凸状部分の当たりを向上させ得る。
【発明を実施するための最良の形態】
【００１１】
以下に、本発明を具体的に説明する。
【００１２】
図１は本発明の一実施形態に係るタオルを示す平面図、図２はその正面図である。このタオル１は、一定幅Ｗの長方形状に形成されたタオル本体２を有し、そのタオル本体２の長手方向の途中部分、図示例では中央部に複数のフリル３、４が形成されている。フリル３は、タオル本体２の表側に形成されていて、例えば９個形成されている。一方、フリル４は、タオル本体２の裏側に形成されていて、例えば９個形成されている。
【００１３】
タオル本体２及びフリル３、４は、例えばよこ編み機によりタオル本体２を編むときに同時にフリル３、４を編むことで作製される。
【００１４】
次に、本実施形態のタオルの製造に用いられるよこ編み機につき説明する。図３は、よこ編み機に備わった針の構成を示す図である。このよこ編み機は、互いに交差する方向に進出・退入する多数の前針床の針１０と多数の後針床の針１１とを有する。
【００１５】
次に、本実施形態のタオルを、よこ編み機により作製する場合の一作製例を説明する。ここで、図４は、フリル３、４を編む直前と直後における針の状態を示しており、編み目の形成に用いる針を実線の丸印で表し、使用しない針を破線の丸印で表している。なお、前記幅Ｗに対応する数の針が実際には使用されるが、図４では針１０も針１１も便宜上１０本づつとして表している。
【００１６】
まず、図４（ａ）に示すように両方の針１０、１１を用い、前記幅Ｗの方向の列をコースとしてタオル本体２の長手方向の一端側から他端側へ向けて編んでいく。上記長手方向は、幅Ｗの方向とほぼ直交する方向であり、その方向に並んだ列をウェールという。編み目としては、例えばゴム編みが用いられる。このようにしてタオル本体２の途中まで編むと、図４（ｂ）に示すように針１０にのみ編み目を引っ掛けた状態とした後に、図４（ｃ）に示すように、その針１０の１つ置きの針１０ａに、隣の針１０ｂに引っ掛けられていた編み目を移す。つまり、針１０ａに２つの編み目を引っ掛け、針１０ｂには編み目が引っ掛かっていない状態にする。続いて、それまでとは別の糸を用い、以下のようにして表側のフリル３を１つ分編む。
【００１７】
このフリル３では、図４（ｄ）に示すように、編み目の引っ掛かっていない針１０ｂと、この針１０ｂとの位置関係が千鳥状となる、１つ置きの後針床の針１１ａとを用いる。そして、この位置関係の針１０ｂと１１ａとにより、表側のフリル３を先端３ａ側から基端３ｂ側へと向けて、例えばゴム編みにより１つ分編む。編む回数は、フリル３の長さに応じて決定される。
【００１８】
そして、図４（ｅ）に示すように、針１０ｂと１１ａとで編んだ基端３ｂ側の編み目を、針１０のみに引っ掛けた状態にする。つまり、針１０ｂでは引っ掛かった状態を維持し、針１１ａに引っ掛けられていた編み目を針１０ａに引っ掛ける。これにより、針１０ａには、表側のフリル３の基端の編み目と、途中まで編んだタオル本体２の端の２つの編み目とが引っ掛けられる。
【００１９】
その後、図４（ｆ）に示すように針１０の全部と針１１の全部とで、例えば１目分編む。この１目分はタオル本体２の一部を形成し、これによりフリル３がタオル本体２に編み込まれる。なお、１目分に限らず、フリル３と４との間隔を考慮して２目分以上を編むようにしてもよい。
【００２０】
次に、裏側のフリル４を同様にして編む。つまり、図４（ｇ）に示すように針１１にのみ編み目を引っ掛けた状態とした後に、図４（ｈ）に示すように、その針１１の１つ置きの針１１ａに、隣の針１１ｂに引っ掛けられていた編み目を移す。つまり、針１１ａに２つの編み目を引っ掛け、針１１ｂには編み目が引っ掛かっていない状態にする。続いて、それまでとは別の糸を用い、以下のようにして裏側のフリル４を１つ分編む。
【００２１】
このフリル４では、図４（ｉ）に示すように、編み目の引っ掛かっていない針１１ｂと、この針１１ｂとの位置関係が千鳥状となる、１つ置きの後針床の針１０ａとを用いる。そして、この位置関係の針１１ｂと１０ａとにより、裏側のフリル４を先端４ａ側から基端４ｂ側へと向けて、例えばゴム編みにより１つ分編む。編む回数は、フリル４の長さに応じて決定される。
【００２２】
そして、図４（ｊ）に示すように、針１１ｂと１０ａとで編んだ基端４ｂ側の編み目を、針１１のみに引っ掛けた状態にする。つまり、針１１ｂでは引っ掛かった状態を維持し、針１０ａに引っ掛けられていた編み目を針１１ａに引っ掛ける。これにより、針１１ａには、裏側のフリル４の基端４ｂの編み目と、途中まで編んだタオル本体２の端の２つの編み目とが引っ掛けられる。
【００２３】
その後、図４（ｋ）に示すように針１０の全部と針１１の全部とで、例えば１目分編む。この１目分はタオル本体２の一部を形成し、これによりフリル４がタオル本体２に編み込まれる。なお、１目分に限らず、フリル３と４との間隔を考慮して２目分以上を編むようにしてもよい。
【００２４】
このようにしてタオル本体２に、所定数、図示例では各９つのフリル３と４とを交互に編み込んだ後、針１０の全部と針１１の全部とでタオル本体２を他端側へ向けて、例えばゴム編みにより編むことで、本実施形態のタオルが製造される。
【００２５】
したがって、フリル４が、タオル本体２を編んで形成するときに同時に編むことで形成され、フリル４とタオル本体２とが一体的に編まれているので、フリル４の基端側がタオル本体２に編み込まれて表面に表れずに見栄えがよい。また、タオル本体２の一端から他端までの全長が連続した一枚の編み物となっているので、従来のようにフリルを縫い付ける必要がないので、糸解けによるフリル４の消失が起こり難いものになる。
【００２６】
なお、上述した実施形態においては図４に示した編み方で編むようにしているが、本発明はこの方法に限らない。要は、フリルを編み始める直前までに編んだタオル本体の端に対し、その後に編んだフリルの端を編み込むことができれば、どのような編み方を採用しても構わない。
【００２７】
また、上述した実施形態ではタオル本体の表裏両側にフリルを形成しているが、本発明はこれに限らず、タオル本体の表側または裏側の片側にフリルを形成するようにしてもよい。要は、フリルの形成によりタオル本体において厚みが増大し、凸状部分の厚みが所定値以上になって背中の凹部をきれいに洗浄することができればよい。よって、タオル本体とは別の糸を用いるフリルの形成において、フリル用の糸として太い糸を用いることで、フリルの形成による凸状部分の厚みを更に厚くすることができる。なお、タオル本体用の糸とフリル用の糸は、同一材質のものでも異なる材質のものでもよい。
【００２８】
更に、上述した実施形態ではタオル本体の長手方向の途中部分にフリルを形成しているが、本発明はこれに限らず、タオル本体の長手方向の全長にわたりフリルを形成するようにしてもよい。
【図面の簡単な説明】
【００２９】
【図１】本発明の一実施形態に係るタオルを示す平面図である。
【図２】図１の正面図である。
【図３】図１のタオルを編むためのよこ編み機の構成を示す斜視図である。
【図４】図１のタオルにおけるフリル部分の編み方の説明図である。
【符号の説明】
【００３０】
１    タオル
２    タオル本体
３、４    フリル
【図１】
2007097882.tif 000003
【図２】
2007097882.tif 000004
【図３】
2007097882.tif 000005
【図４】
2007097882.tif 000006